(57)【要約】【課題】使用者にとって表示画面の明るさが煩わしくなく、且つ表示画面中の情報を把握しやすい携帯情報端末を実現することを目的とする。【解決手段】第１の情報と第２の情報とを画面に表示する表示部１０１と、画面の配色またはコントラストを変更するとともに、画面に表示する第１の情報は表示を維持し、第２の情報は表示を終了するように制御する制御部１１０と、を備えるように構成したものである。これにより、表示画面の光量を変化させ、且つ情報量を減らすことができるため、表示画面の明るさが煩わしくなく、且つ表示画面中の情報を把握しやすくなる。【選択図】図２
2006065022.tif 000002
【特許請求の範囲】
【請求項１】
少なくとも第１の情報と第２の情報とを画面に表示する表示部と、
前記画面の配色またはコントラストを変更するとともに、前記画面に表示する前記第１の情報は表示を維持し、前記第２の情報は表示を終了するように制御する制御部と、
を備えた携帯情報端末。
【請求項２】
前記制御部は、前記画面に表示する第１の情報の明度が、前記表示する第１の情報以外の画面の明度より高くするよう前記画面の配色を変更する請求項１記載の携帯情報端末。
【請求項３】
前記第１の情報は、前記第２の情報より情報としての優先度が高いことを特徴とする請求項１または請求項２記載の携帯情報端末。
【請求項４】
操作部を設け、前記制御部は、前記操作部からの指示に応じて、前記画面の配色またはコントラストを変更するとともに、前記画面に表示する前記第１の情報は表示を維持し、前記第２の情報は表示を終了するようにした請求項１から請求項３のいずれか１項記載の携帯情報端末。
【請求項５】
前記携帯端末の周囲の状況を判断する状況判断部を設け、前記制御部は、前記状況把握部からの情報に応じて、前記表示部の配色またはコントラストを変更するとともに、前記表示部に表示する前記第１の情報は表示を維持し、前記第２の情報は表示を終了するようにした請求項１から請求項４のいずれか１項記載の携帯情報端末。
【請求項６】
前記状況判断部に光センサーを設け、前記制御部は、前記光センサーからの情報により、周囲が暗いと判断した場合、前記画面の配色の明度を下げ、またはコントラストを下げ、前記画面に表示する前記第１の情報は表示を維持し、前記第２の情報は表示を終了するようにした請求項５記載の携帯情報端末。
【請求項７】
前記状況判断部に近距離通信部を設け、前記近距離通信部が表示切り替え信号を受信した場合、前記制御部は、前記画面の配色の明度を下げ、またはコントラストを下げ、前記画面に表示する前記第１の情報は表示を維持し、前記第２の情報は表示を終了するようにした請求項５記載の携帯情報端末。
【請求項８】
前記第１の情報と前記第２の情報とを分割された画面に別々に表示するようにした請求項１から請求項７のいずれか１項記載の携帯情報端末。
【請求項９】
前記画面に光を照射する発光部を設け、前記制御部は、前記画面の配色またはコントラストの変更に伴い、前記発光部の発光量を減らすようにした請求項１から請求項８のいずれか１項記載の携帯情報端末。
【請求項１０】
携帯情報端末に搭載のコンピュータに、
少なくとも第１の情報と第２の情報とを画面に表示する表示手順と、
前記画面の配色またはコントラストを変更するとともに、前記画面に表示する前記第１の情報は表示を維持し、前記第２の情報は表示を終了するように制御する制御手順と、
を実行させるためのプログラム。
【請求項１１】
携帯情報端末における表示方法において、
少なくとも第１の情報と第２の情報とを画面に表示する表示手順と、
前記画面の配色またはコントラストを変更するとともに、前記画面に表示する前記第１の情報は表示を維持し、前記第２の情報は表示を終了するように制御する制御手順と、
を備えた表示方法。
【発明の詳細な説明】
【技術分野】
【０００１】
本発明は、携帯電話機やＰＤＡ（Ｐｅｒｓｏｎａｌ  Ｄｉｇｉｔａｌ  Ａｓｓｉｓｔａｎｔ）などの携帯情報端末に関するものである。
【背景技術】
【０００２】
従来の携帯電話機やＰＤＡは、キー操作等により表示画面が点灯し、使用者にとって表示画面の視認性を高めることが一般的に知られている（例えば、特許文献１）。このような携帯情報端末において、暗い場所で表示画面が点灯した際、使用者にとっては、表示画面がまぶしく、煩わしく感じるということがあった。
表示画面を減光等することにより目立たなくすることは、カーナビゲーションの分野で知られている（例えば、特許文献２）。
【０００３】
【特許文献１】特開２００２−３５３８８２号公報
【特許文献２】特開平１０−２５０４７２号公報
【発明の開示】
【発明が解決しようとする課題】
【０００４】
しかしながら、携帯情報端末においては、表示画面全体をそのまま減光したり、配色を変更したりすると、まぶしさは解消されるが、使用者にとっては、表示画面中の情報が把握しづらくなるという課題があった。
【０００５】
本発明はこのような従来の課題を解決したもので、使用者にとって表示画面の明るさが煩わしくなく、且つ表示画面中の情報を把握しやすい携帯情報端末を実現することを目的とする。
【課題を解決するための手段】
【０００６】
本発明の携帯情報端末は、上記目的を達成するために、第１の情報と第２の情報とを画面に表示する表示部と、前記画面の配色またはコントラストを変更するとともに、前記画面に表示する前記第１の情報は表示を維持し、前記第２の情報は表示を終了するように制御する制御部と、を備えるように構成したものである。
したがって、表示画面の光量を変化させ、且つ画面に表示される情報量を減らすことができる。
【発明の効果】
【０００７】
上記構成により、本発明の携帯情報端末は、表示の煩わしさを抑えることができるとともに、画面に表示される情報を把握しやすくなる。
【発明を実施するための最良の形態】
【０００８】
本発明の携帯情報端末の実施の形態は、第１の情報と第２の情報とを画面に表示する表示部と、画面の配色またはコントラストを変更するとともに、画面に表示する第１の情報は表示を維持し、第２の情報は表示を終了するように制御する制御部とを備えるように構成したものである。これにより、表示画面の光量を変化させ、且つ画面に表示される情報量を減らすことができる。
【０００９】
また、制御部は、画面に表示する第１の情報の明度が、前記表示する第１の情報以外の画面の明度より高くするよう前記画面の配色を変更することを特徴とする。これにより、使用者は、第１の情報を視認しやすくなる。
【００１０】
また、第１の情報は、第２の情報より情報としての優先度が高いことを特徴とする。これにより、優先度の高い情報を画面に表示し、優先度の低い情報を画面に表示しないため、使用者は、優先度の高い情報のみを効率よく視認することができる。
【００１１】
また、操作部を設け、制御部は、操作部からの指示に応じて、画面の配色またはコントラストを変更するとともに、画面に表示する第１の情報は表示を維持し、第２の情報は表示を終了する。これにより、使用者は、自らの判断によって表示画面の光量を変化させ、且つ画面に表示される情報量を減らすことができる。
【００１２】
また、携帯端末の周囲の状況を判断する状況判断部を設け、制御部は、状況把握部の把握した周囲の状況に応じて、表示部の配色またはコントラストを変更するとともに、表示部に表示する第１の情報は表示を維持し、第２の情報は表示を終了する。これにより、使用者は、操作部で設定することなしに、表示画面の光量を変化させ、且つ画面に表示される情報量を減らすことができる。
【００１３】
また、状況判断部に光センサーを設け、制御部は、光センサーからの情報により、周囲が暗いと判断した場合、画面の明度を下げ、またはコントラストを下げ、画面に表示する第１の情報は表示を維持し、第２の情報は表示を終了する。これにより、暗い時に自動で表示画面の光量を変化させ、且つ画面に表示される情報量を減らすことができる。
【００１４】
また、状況判断部に近距離通信部を設け、近距離通信部が減光信号を受信した場合、制御部は、画面の明度を下げ、またはコントラストを下げ、画面に表示する第１の情報は表示を維持し、第２の情報は表示を終了する。これにより、映画館や劇場等の入り口に近距離通信信号を発信する信号発信機を設けることにより、映画館や劇場等の特定の場所において、自動で表示画面の光量を変化させ、且つ画面に表示される情報量を減らすことができる。
【００１５】
また、画面の表示領域を分割し、第１の情報と第２の情報とを分割された画面に別々に表示する。これにより、表示画面の光量を変化させ、且つ画面に表示される情報量を減らすことができる。
【００１６】
また、画面に光を照射する発光部を設け、制御部は、画面の配色またはコントラストの変更に伴い、発光部の光量を減らす。これにより、画面の光量を減らすことができる。
【実施例】
【００１７】
以下本発明の実施例について添付図面を参照して説明する。
（実施例１）
図１に本発明の第１の実施例に係る携帯情報端末である携帯電話機の外観図を示す。
図１において、本発明の第１の実施例に係る携帯電話機１００は、表示部１０１、操作部１０２、アンテナ１０３を有している。
【００１８】
表示部１０１は、液晶ディスプレイ（以下、ＬＣＤ）で構成されており、複数の情報が画面に表示される。ここでは、第１の情報１０１Ａとして現在の日時が表示され、第２の情報１０１Ｂとして、予め携帯電話機に設定された、または、使用者が任意に設定した背景画面が表示されている。
【００１９】
操作部１０２は、キー操作部として設けられており、入出力ボタンで構成されている。使用者は、このキー操作部を用いて携帯電話機１００に対してデータの発着信や、データの追加や削除等の指示をすることができる。
【００２０】
操作部１０２は、表示切替キー１０２Ａを備えている。表示切替キー１０２Ａを押下すると、表示部１０１は、第１の情報１０１Ａの表示は維持し、第２の情報１０１Ｂの表示は終了するように切り替わる。この後、または同時に、表示部１０１は、第１の情報１０１Ａの表示の配色と、画面のうち第１の情報１０１Ａを除いた部分の表示（以下、「他の表示」）の配色をそれぞれ変化させる。これらの表示の切り替え動作については、後で詳しく述べる。
【００２１】
アンテナ１０３は、公衆回線にて通信する音声・データ信号を電波として送受信するために用いている。
【００２２】
図２に本発明の第１の実施例に係るハードウェアブロック図を示す。図２は、図１の携帯電話機１００におけるハードウェアブロック図である。ここで、図１、図２において同一の符号がふられている構成は、同一の構成として対応している（以下、本明細書中において、異なる図で同一の符号がふられているものについては、同じ扱いとする）。
【００２３】
図２において、携帯電話機１００は、表示部１０１、操作部１０２、アンテナ１０３、データバス１０４、制御バス１０５、無線部１０６、ＲＯＭ１０７、ＲＡＭ１０８、ＬＳＩ１０９、制御部１１０、発光部１１１を有している。これらの構成１０１〜１１１は、すべてハードウェアとして構成されている。
【００２４】
データバス１０４は、ハードウェア間の種々のデータ信号の伝送に用いられる回路である。制御バス１０５は、ハードウェアの制御データ信号の伝送に用いられる回路である。
データバス１０４及び制御バス１０５には、無線部１０６、ＲＯＭ１０７、ＲＡＭ１０８、ＬＳＩ１０９、制御部１１０が電気的に接続されている。
【００２５】
無線部１０６、ＲＯＭ１０７、ＲＡＭ１０８、ＬＳＩ１０９、制御部１１０は、データバス１０４及び制御バス１０５を介して、信号のやりとりを行っている。ここで、ハードウェア間を結ぶ矢印は、信号の入力・出力方向を示している（以下、本明細書中で同じ）。例えば、操作部１０２から制御部１１０への矢印は、操作部１０２から信号が出力され、制御部１１０に信号が入力されていることを示している。
無線部１０６は、公衆回線にて通信する音声・データ信号をアンテナ１０３から電波として送受信する。
【００２６】
ＲＯＭ１０７は、変更できないプログラムやデータを保持している。ＲＡＭ１０８は、電話帳やメール、変更可能なプログラムや保存データ、各ハードウェアが動作する際に生成する一時的なデータ、ハードウェア間でデータの授受を行う際に一時的に格納するデータなどを保持している。
【００２７】
ＬＳＩ１０９は、音声通信やデータ通信において、発着呼の制御や通信時のデジタルデータに関する制御を行っている。また、アプリケーションに応じて、ＲＯＭ１０７からデータの読み出し、およびＲＡＭ１０８からデータの読み出し、書き出し処理を行っている。
【００２８】
制御部１１０は、表示部１０１や操作部１０２などのデバイスを制御する。制御部１１０から表示部１０１へデータを出力する場合、制御部１１０は、ＬＳＩ１０９で定められた表示出力内容を実際に表示部１０１で表示するビットマップ配置に変換し、表示部１０１に表示する。また、操作部１０２からの信号の入力では、制御部１１０は、押下されたキーの種類やその押下時間などの情報を処理に必要な形式に変換し、表示部１０１やＬＳＩ１０９に情報信号を出力する。
【００２９】
発光部１１１は、表示部１０１が透過型液晶ディスプレィや半透過型液晶ディスプレィのように、そのデバイス自身が発光機能を持たない場合に、光を導光板を介して側面または直接背面から照射する光源であるバックライトとして設置されている。これにより、表示面が明るく表示される。
【００３０】
次に、本発明の第１の実施例の動作、および作用について図３（ａ）〜図３（ｆ）を用いて説明する。なお、図３（ａ）、（ｂ）は図３Ａに、図３（ｃ）、（ｄ）は図３Ｂに、図３（ｅ）、（ｆ）は図３Ｃにそれぞれ示す。
表示部１０１に表示される第１の情報１０１Ａ、第２の情報１０１Ｂは、携帯電話機１００に対して固定されていても、使用者によって任意に設定されてもよい。
【００３１】
携帯電話機１００に対して、第１の情報１０１Ａ、第２の情報１０１Ｂが固定されている場合、第１の情報１０１Ａとして表示される情報と、第２の情報１０１Ｂとして表示される情報との対応が、対応表として予め設定される。設定された対応表は、ＲＯＭ１０７、または、ＲＡＭ１０８に格納されている。
【００３２】
表示部１０１に表示される第１の情報１０１Ａ、第２の情報１０１Ｂが、使用者によって任意に設定される場合、使用者が、第１の情報１０１Ａとして表示される情報と、第２の情報１０１Ｂとして表示される情報との対応を任意に設定する。設定後は、ＲＡＭ１０８に対応表として格納される。
【００３３】
この２つの場合において、情報の優先度の高さ低さにより、第１の情報１０１Ａとして表示される情報と、第２の情報１０１Ｂとして表示される情報との対応が決定されてもよい。
情報の優先度の高さ低さとは、例えば、優先度の高い情報とは、使用者がまだ確認していない情報を指し、優先度の低い情報とは、使用者が既に確認済みの情報を指す。また、例えば、優先度の高い情報とは、文字列、図形形状等の骨格を示す情報を指し、優先度の低い情報とは、文字列、図形形状等の内部の色等の装飾部分を示す情報を指す。
【００３４】
ここで、表示部１０１に表示される第１の情報１０１Ａ、第２の情報１０１Ｂが具体的に設定された３つの例について、第１の例として図３（ａ）、（ｂ）で、第２の例として図３（ｃ）、（ｄ）で、第３の例として図３（ｅ）、（ｆ）用いて説明する。
【００３５】
第１の例について図３（ａ）及び図３（ｂ）を用いて説明する。
図３（ａ）は、表示部１０１に第１の情報１０１Ａ１として、現在の日時が表示され、第２の情報１０１Ｂ１として、背景画面が表示されている。図３（ｂ）は、表示部１０１の表示が図３（ａ）の表示状態から切り替わった状態を示している。ここで、第１の情報１０１Ａ１とは、日時のような経時的に変化する情報を指し、第２の情報１０１Ｂ１とは、経時的に変化しない情報を指している。
【００３６】
図３（ａ）の表示状態になるとき、ＬＳＩ１０９は、例えばＲＯＭ１０７およびＲＡＭ１０８に記憶された第１の情報１０１Ａ１および第２の情報１０１Ｂ１のデータを取り出し、表示データに変換し、制御部１１０へ出力する。
【００３７】
そして、制御部１１０は、ＬＳＩ１０９で定められた表示データを実際に表示部１０１で表示する表示形式に変換し、ＲＯＭ１０７、ＲＡＭ１０８から読み出された内容を表示部１０１に第１の情報１０１Ａ１と第２の情報１０１Ｂ１として表示する。これが図３（ａ）の表示状態である。
【００３８】
図３（ａ）の表示状態において、表示切替ボタン１０２Ａが押されるとする。このとき、表示切替ボタン１０２Ａから制御部１１０へ表示切り替えを指示する情報信号が出力される。
【００３９】
そして、この情報信号が入力されると、制御部１１０は、ＬＳＩ１０９で定められた表示部１０１への出力内容のうち、第１の情報１０１Ａ１は、表示部１０１への出力を継続し、第２の情報１０１Ｂ１は、表示部１０１への出力を中断するようにする。
【００４０】
さらに、制御部１１０は、第１の情報１０１Ａ１の表示のフォントを変更して白とし、他の表示の配色をすべて黒とする。表示が切り替わった結果、図3（ｂ）の表示状態に切り替わる。
【００４１】
このとき、表示部１０１の配色が黒くなった他の表示の部分では、発光部１１１からの光は、遮られることになる。具体的には、発光部１０１から他の表示の部分に向かう光は、表示部１０１内の液晶分子のねじれに沿って、振動方向が変化し、出口側の偏光板でさえぎられることになる。このため、外部へ向かう光量は、少なくなり、使用者は、表示部１０１の表示の煩わしさを感じることがなくなる。
【００４２】
そして、第１の情報１０１Ａ１の表示は、白であり偏向板にさえぎられず、光が通過するため、視認可能である。これにより、使用者は、経時的に変化するような、使用者が画面を見た段階で必要とする可能性の高い情報を把握しやすくなる。
【００４３】
さらに、使用者だけでなく、使用者の周囲の人にも表示部１０１の表示が煩わしく感じることを防止できるため、映画館や劇場等の暗い場所で、周囲に迷惑をかけず、時刻等を短時間で視認するのに便利である。
【００４４】
第２の例について、図３（ｃ）及び図３（ｄ）を用いて説明する。図３（ｃ）では、メールを受信した状態における表示部１０１の表示状態を示し、図３（ｄ）は、表示部１０１の表示が図３（ｃ）の表示状態から切り替わった状態を示す。
【００４５】
メールを受信した場合において、メールのデータを含む信号はアンテナ１０３で受信され、無線部１０６、データバス１０４を経由してＲＡＭ１０８に記憶される。ＬＳＩ１０９は、ＲＡＭ１０８に記憶されたデータを取り出し、表示データに変換し、制御部１１０へ出力する。制御部１１０は、ＬＳＩ１０９で定められた表示データを実際に表示部１０１で表示する表示形式に変換し、受信したメールの内容が表示部１０１で表示される。
【００４６】
例えば、図３（ｃ）のように表示部１０１には、第１の情報１０１Ａ２および第２の情報１０１Ｂ２が表示される。ここで、第１の情報１０１Ａ２とは、新しく受信した未読のメールのような使用者がこれまでに確認していない新規の情報を指す。第２の情報１０１Ｂ２とは、以前に受信した既読のメールのような使用者が以前に確認済みの情報を指す。
【００４７】
図３（ｃ）の表示状態において、表示切替ボタン１０２Ａが押されるとする。このとき、表示切替ボタン１０２Ａから制御部１１０へ情報信号が送られる。
そして、情報信号が入力された制御部１１０は、ＬＳＩ１０９で定められた表示部１０１への出力内容のうち、第１の情報１０１Ａ２は、表示部１０１への出力を継続し、第２の情報１０１Ｂ２は表示部１０１への出力を中断するようにする。
【００４８】
さらに、制御部１０９は、第１の情報１０１Ａ２はフォントの色を変更して白とし、他の表示の配色をすべて黒とする。表示が切り替わった結果、図3（ｄ）の表示状態に切り替わる。
【００４９】
このとき、表示部１０１の配色が黒くなった部分では、発光部１１１からの光は、遮られることになる。具体的には、発光部１０１から他の表示の部分に向かう光は、表示部１０１内の液晶分子のねじれに沿って、振動方向が変化し、出口側の偏光板でさえぎられることになる。このため、外部へ向かう光量は、少なくなり、使用者は、表示部１０１の表示の煩わしさを感じることがなくなる。
【００５０】
そして、第１の情報１０１Ａ２の表示は、光が通過するため、残っている。このため、使用者は受信した必要な情報を把握しやすくなる。
さらに、使用者だけでなく、使用者の周囲の人にも表示部１０１の表示の煩わしさを感じさせるのを防止することができるため、映画館や劇場等の暗い場所で、周囲に迷惑をかけず、新しく受信したメールの内容等を短時間で視認するのに便利である。
【００５１】
第３の例について図３（ｅ）及び図３（ｆ）を用いて説明する。
図３（ｅ）は、表示部１０１に第１の情報１０１Ａ３および第２の情報１０１Ｂ３が表示されている状態を示し、図３（ｆ）は、表示部１０１の表示が図３（ｅ）の表示状態から切り替わった状態を示す。
【００５２】
第１の情報１０１Ａ３は、背景外周部のような情報の骨組み部分の情報に設定され、第２の情報１０１Ｂ３は、背景内部のような情報の装飾部分の情報として設定されている。  例えば、文字と色が表示部１０１に表示されている場合であれば、文字の情報が骨組み部分の情報として第１の情報１０１Ａ３となり、色の情報が装飾部分の情報として第２の情報１０１Ｂ３となる。すなわち、骨組み部分の情報とは、その情報の要旨を把握するに足る最低限の情報を示す。
【００５３】
図３（ｅ）の表示状態において、表示切替ボタン１０２Ａが押されるとする。すると、図3（ｆ）の表示状態に切り替わる。ハードウェアブロックの動作は、前述の図３（ａ）から図３（ｂ）へ表示が切り替わるときの動作と同様である。
これにより、使用者があらかじめ設定した第１の情報１０１Ａ３の表示は、画面上に残っているため、使用者は、使用者毎に必要な情報を把握しやすくなる。
【００５４】
なお、本実施例１は、表示部１０１にＬＣＤの代わりに例えば有機ＥＬディスプレィのような自発光方式の表示装置を用いることもできる。自発光方式の表示装置を用いた場合、発光部１１１は、設けなくても構わない。そのため、携帯電話機の小型化を図ることができる。自発光方式の表示装置を用いた際に、他の表示を暗く変更した場合、暗い部分は、自発光方式の表示装置自体の光が抑えられるので、使用者は表示の煩わしさを感じることがなくなる。
【００５５】
また、表示部１０１にＬＣＤを用いた場合、表示の切り替えとともに、発光部１１１による減光を組み合わせることにより、表示の煩わしさをより抑えることができる。この時には、バッテリーの消費を抑えることも期待できる。有機ＥＬディスプレィのような自発光方式の表示装置の場合、自発光方式の表示装置自体を減光させてもよい。これにより、表示の煩わしさをより抑えることができ、バッテリーの消費を抑えることが期待できる。
【００５６】
また、制御部１１０は、表示部１０１への出力を中断することで、第２の情報１０１Ｂの情報表示を終了したが、中断しなくてもよい。この場合、制御部１１０は、第２の情報１０１Ｂの表示の配色を第１の情報１０１Ａ及び第２の情報１０１Ｂの表示以外の画面の配色と同じ配色とする。このとき、第２の情報１０１Ｂを出力しつつも、第２の情報１０１Ｂの表示は、第１の情報１０１Ａ、第２の情報１０１Ｂの表示以外の画面の配色と同じとなっているため、画面上では第２の情報１０１Ｂの情報の表示は、実質的に終了していることになる。
【００５７】
また、他の表示の変更は黒色、第１の情報１０１Ａの表示のフォントの色の変更は白色に限られることはない。第１の情報１０１Ａの表示のフォントの色の明度が画面の背景の色の明度より高くすることにより、第１の情報１０１Ａの情報を把握しやすくなる。ここで、明度とは、明るさの度合いを表すもので、明度が低ければ黒に近づき、高ければ白に近づく（以下、本明細書中で同じ）。
【００５８】
また、表示部１０１の表示の切り替えは、配色の変更だけでなく、コントラストの変更でもよい。
また、表示部１０１の表示の切り替えは、配色の変更とコントラストの変更とを組み合わせたものであってもよい。例えば、画面の明度を下げ、コントラストを下げることにより、表示の煩わしさをさらに抑えることができる。画面の明度を下げ、コントラストを上げることにより、第１の情報１０１Ａをより把握しやすくなる。
【００５９】
また、表示の切り替え後の他の表示の背景の色、第１の情報１０１Ａの表示のフォントの色は使用者によって任意に設定することも可能である。
【００６０】
また、他の表示の配色、第１の情報１０１Ａの表示のフォントの変更に伴って、第１の情報１０１Ａの表示位置を変更してもよい。例えば、第１の情報１０１Ａの表示を中央に配置した場合、第１の情報１０１Ａをより把握しやすくなる。
【００６１】
また、第１の情報１０１Ａ３の情報の骨組み情報を表示する場合の表示色に、第２の情報１０１Ｂ３の色情報を使用してもよい。例えば、第２の情報１０１Ｂ３の表示色が赤色であれば、第１の情報１０１Ａ３の表示を赤色にしてもよい。これにより、表示が切り替わったとしても表示が切り替わる以前の情報を把握しやすくなる。
【００６２】
また、第１の情報１０１Ａ、第２の情報１０１Ｂは、複数の情報として設定することも可能である。例えば、背景外周部のような情報の骨組み情報と経時的に変化する情報が第１の情報として設定され、これら以外の情報が第２の情報として設定されることが可能である。これにより、使用者にとって必要な情報のみを表示することができる。
【００６３】
また、操作部１０２は、キー操作部としてではなく、例えば表示部１０１に設けられたタッチパネルや、音声認識による声による操作等であっても構わない。
【００６４】
また、あらかじめ、操作部１０２Ａにより表示の切り替え設定をしておくことも可能である。これにより、使用者は、表示の煩わしさを感じることがなくなる。
【００６５】
また、既存のマナーモードやサイレントモード等を設定した場合に、表示部１０１の表示が切り替わるように設定することも可能である。これにより、映画館や劇場等で着信音に気をつけるだけでなく、表示の煩わしさに気をつけることができ、周囲に迷惑をかけることを防ぐことができる。ここで、マナーモード、サイレントモードとは、着信音等で周囲に迷惑がかからないように、携帯情報端末の着信音等が鳴らないように設定される機能のことである（以下、本明細書中で同じ）。
【００６６】
また、制御部１１０における制御をすべてＬＳＩ１０９で行ってもよい。この場合、制御部１１０を取り除いた構造としてもよい。
【００６７】
また、表示の切り替えは、操作部１０２Ａで再度操作することにより、すぐに表示を切り替える前の元の表示に戻すことができる。例えば、図３（ｂ）の表示状態から図３（ａ）の表示状態に切り替えることができる。
【００６８】
また、折りたたみ式の携帯情報端末で採用されている背面表示部であっても、本実施例の表示部１０１と同様の動作を行うことができる。ここでいう、折りたたみ式の携帯情報端末で採用されている背面表示部とは、表示部１０１の裏面側に設けられたもう一つの表示部のことである（以下、本明細書中で同じ）。
【００６９】
また、本実施例では携帯情報端末として携帯電話機１００を用いて説明したが、ＰＤＡや他の持ち歩き可能な情報機器にも適用できる。
【００７０】
（実施例２）
図４に本発明の第２の実施例に係る携帯電話機２００の外観図、図５に本発明の第２の実施例に係る携帯電話機２００のハードウェアブロック図を示す。
図４、図５において、表示部２０１、操作部２０２、アンテナ２０３、データバス２０４、制御バス２０５、無線部２０６、ＲＯＭ２０７、ＲＡＭ２０８、ＬＳＩ２０９、制御部２１０、発光部２１１の構成は、実施例１に示した、表示部１０１、操作部１０２、アンテナ１０３、データバス１０４、制御バス１０５、無線部１０６、ＲＯＭ１０７、ＲＡＭ１０８、ＬＳＩ１０９、制御部１１０、発光部１１１とそれぞれ同じ構成である。
【００７１】
実施例２と実施例１の構成の相違点は、光センサー２１２がデータバス２０４および制御バス２０５と電気的に接続するように設けられている点である。
光センサー２１２は、携帯電話機２００の周囲の明るさを情報として入力し、ＲＡＭ２０８、ＬＳＩ２０９、制御部２１０に携帯電話機２００の周囲の明るさについての情報信号を出力している。そして、ＲＡＭ２０８、ＬＳＩ２０９、制御部２１０は光センサー２１２からの情報に基づき、周囲の明るさを判定している。
【００７２】
次に、本発明の第２の実施例の動作、および作用について説明する。
本発明の表示部２０１の画面表示の変更の様子を図６（ａ）、図６（ｂ）に示す。
図６（ａ）は、表示部２０１に第１の情報２０１Ａおよび第２の情報２０１Ｂが表示されている状態を示し、図６（ｂ）は、表示部２０１の表示が図３（ａ）の表示状態から切り替わった状態を示す。ここで、第１の情報２０１Ａとは、日時のような経時的に変化する情報を指し、第２の情報２０１Ｂとは、経時的に変化しない情報を指している。
【００７３】
図６（ａ）の表示状態において、光センサー２１２からの情報に基づき、制御部２１０は、携帯電話機２００の周囲が暗いと判定したとする。このとき、制御部２１０は、ＬＳＩ２０９で定められた表示部２００への出力内容のうち、第１の情報２０１Ａは、表示部２０１への出力を継続し、第２の情報２０１Ｂは表示部２０１への出力を中断するようにする。
【００７４】
さらに、制御部２１０は、第１の情報２０１Ａの表示は、フォントの色を変更して白色とし、他の表示の配色をすべて黒色とする。表示が切り替わった結果、図６（ｂ）のように表示部２０１の表示が切り替わる。
【００７５】
これにより、光センサー２１２からの情報に基づき、制御部２１２が、携帯電話機２００の周囲は暗いと判定した場合に表示を切り替えるので、使用者が表示の煩わしさを感じる前に表示が切り替わる。このため、使用者は、表示部２０１の表示の煩わしさを全く感じることがなくなる。
【００７６】
また、映画館や劇場等の暗い場所では、表示部２０１の表示は常に自動で切り替わるため、使用者の周囲の人に対しても表示の煩わしさによる迷惑をかけることがなくなる。
さらに、第１の情報２０１Ａの表示は視認可能なので、使用者は、経時的に変化するような必要な情報を短時間で把握しやすくなる。
【００７７】
周囲が暗い状況で、メールを受信した場合の表示部２０１の表示の切り替えの様子は、例えば、実施例１で示した図３（ｃ）の表示部１０１の表示から図３（ｄ）の表示部１０１の表示への切り替えとなる。
【００７８】
これにより、光センサー２１２からの情報に基づき、制御部２１２が、携帯情報端末２００の周囲は暗いと判定した場合に表示を切り替えるので、使用者が表示の煩わしさを感じる前に表示が切り替わる。このため、使用者は、表示部２０１の表示の煩わしさを全く感じることがなくなる。
【００７９】
また、映画館や劇場等の暗い場所では、表示部２０１の表示は、常に自動で切り替わるため、使用者の周囲の人に対しても表示の煩わしさによる迷惑をかけることがなくなる。
【００８０】
さらに、第１の情報２０１Ａの表示は視認可能なので、使用者は、暗い場所でも、未読メールのような必要な情報を短時間で把握しやすくなる。
【００８１】
第１の情報２０１Ａが背景外周部のような情報の骨組み部分の情報に設定され、第２の情報２０１Ｂが背景内部のような情報の装飾部分として設定されている場合、表示部２０１の表示の切り替えの様子は、例えば、実施例１で示した図３（ｅ）の表示部１０１の表示から図３（ｆ）の表示部１０１の表示への切り替えになる。
これにより、使用者があらかじめ設定した第１の情報２０１Ａの表示は視認可能なので、使用者は、使用者毎に必要な情報を把握しやすくなる。
【００８２】
なお、本実施例２は、表示部２０１にＬＣＤの代わりに例えば有機ＥＬディスプレィのような自発光方式の表示装置を用いることもできる。自発光方式の表示装置を用いた場合、発光部２１１は設けなくても構わない。そのため、携帯電話機２００の小型化を図ることができる。自発光方式の表示装置を用いた際に、画面の配色を暗く変更した場合、暗い部分は、自発光方式の表示装置自体の光が抑えられるので、使用者は表示の煩わしさを感じることがなくなる。
【００８３】
また、表示部２０１にＬＣＤを用いた場合、表示の切り替えとともに、発光部２１１による減光を組み合わせることにより、表示の煩わしさをより抑えることができる。この時には、バッテリーの消費を抑えることも期待できる。有機ＥＬディスプレィのような自発光方式の表示装置の場合、自発光方式の表示装置自体が減光することで、より表示の煩わしさを抑えることができ、バッテリーの消費を抑えることが期待できる。
【００８４】
また、表示部２０１の表示の切り替えは、配色の変更だけでなく、コントラストの変更でもよい。
また、表示部２０１の表示の切り替えは、、配色の変更とコントラストの変更を組み合わせたものであってもよい。例えば、画面の明度を下げ、コントラストを下げることにより、表示の煩わしさをさらに抑えることができる。画面の明度を下げ、コントラストを上げることにより、第１の情報２０１Ａをより把握しやすくなる。
【００８５】
また、制御部２１０は、表示部２０１への出力を中断することで、第２の情報２０１Ｂの情報表示を終了したが、中断しなくてもよい。この場合、第２の情報２０１Ｂの表示の配色を、第１の情報２０１Ａ及び第２の情報２０１Ｂの表示以外の画面の配色と同じ配色とする。このとき、第２の情報２０１Ｂを出力しつつも、第２の情報２０１Ｂの表示は、第１の情報２０１Ａ、第２の情報２０１Ｂの表示以外の画面の配色と同じとなっているため、画面上では第２の情報２０１Ｂの情報の表示は、実質的に終了していることになる。
【００８６】
また、他の表示の変更は黒色、第１の情報２０１Ａの表示のフォントの色の変更は白色に限られることはない。第１の情報２０１Ａの表示のフォントの色の明度が画面の背景の色の明度より高くすることにより、第１の情報２０１Ａの情報を把握しやすくなる。
【００８７】
また、表示の切り替え後の他の表示の背景の色、第１の情報２０１Ａの表示のフォントの色は、使用者によって任意に設定することも可能である。
また、他の表示の配色、第１の情報２０１Ａの表示のフォントの変更に伴って、第１の情報２０１Ａの表示位置を変更してもよい。例えば、第１の情報２０１Ａの表示を中央に配置した場合、第１の情報２０１Ａをより把握しやすくなる。
【００８８】
また、第１の情報２０１Ａ、第２の情報２０１Ｂは、使用者によって任意に設定することができる。これにより、使用者にとって必要な情報のみを表示することができる。
また、第１の情報２０１Ａ、第２の情報２０１Ｂは、複数の情報として設定することも可能である。例えば、背景外周部のような情報の骨組み情報と経時的に変化する情報が第１の情報として設定され、これら以外の情報が第２の情報として設定されることが可能である。これにより、使用者にとって必要な情報のみを表示することができる。
【００８９】
また、操作部２０２は、キー操作部としてではなく、例えば表示部２０１に設けられたタッチパネルや、音声認識による声による操作等であっても構わない。
【００９０】
また、制御部２１０における制御をすべてＬＳＩ２０９で行ってもよい。この場合、制御部２１０を取り除いた構造としてもよい。
【００９１】
また、表示の切り替えは、操作部２０２で操作することにより、すぐに表示を切り替える前の元の表示に戻すことができる。例えば、図６（ｂ）の表示状態から図６（ａ）の表示状態に切り替えることができる。
【００９２】
また、折りたたみ式の携帯端末で採用されている背面表示部であっても、本実施例の表示部２０１と同様の動作を行うことができる。
【００９３】
また、本実施例では携帯電話機２００は、携帯電話としたが、ＰＤＡ等の携帯情報端末にも適用できる。
【００９４】
また、光センサー２１２は、携帯電話機２００の外側表面であれば、どこに取り付けても構わない。カメラつき携帯端末の場合、カメラレンズ部と光センサー２１２を一体にすることも可能である。
【００９５】
（実施例３）
図７に本発明の第３の実施例に係る携帯電話機３００の外観図、図８に本発明の第３の実施例に係る携帯情報端末３００のハードウェアブロック図を示す。
図７、図８において、表示部３０１、操作部３０２、アンテナ３０３、データバス３０４、制御バス３０５、無線部３０６、ＲＯＭ３０７、ＲＡＭ３０８、ＬＳＩ３０９、制御部３１０、発光部３１１の構成は、実施例１に示した、表示部１０１、操作部１０２、アンテナ１０３、データバス１０４、制御バス１０５、無線部１０６、ＲＯＭ１０７、ＲＡＭ１０８、ＬＳＩ１０９、制御部１１０、発光部１１１とそれぞれ同じ構成である。
【００９６】
実施例３と実施例１の相違点は、近距離通信部３１２がデータバス３０４および制御バス３０５と電気的に接続するように設けられている点である。
【００９７】
近距離通信部３１２は、ＢｌｕｅｔｏｏｔｈやＩｒＤＡ等の近距離通信手段から構成されている。近距離通信部３１２が、携帯電話機３００の外部からの信号を受信すると、近距離通信部３１２は、ＲＡＭ３０８、ＬＳＩ３０９、制御部３１０に外部信号に応じた情報信号を出力する。
【００９８】
次に、本発明の第３の実施例の動作、および作用について説明する。
本発明の表示部３０１の画面表示の変更の様子を図９（ａ）、図９（ｂ）に示す。
図９（ａ）は、表示部３０１に第１の情報３０１Ａおよび第２の情報３０１Ｂが表示されている状態を示し、図９（ｂ）は、表示部３０１の表示が図９（ａ）の表示状態から切り替わった状態を示す。
ここで、第１の情報３０１Ａとは、日時のような経時的に変化する情報を指し、第２の情報３０１Ｂとは、経時的に変化しない情報を指している。
【００９９】
図９（ａ）の表示状態において、例えば、映画館や劇場等の暗い場所の入り口等に設けられた近距離通信信号を発信する信号発信機から、近距離通信部３１２が表示切り替え信号を受信したとする。
【０１００】
このとき、近距離通信部３１２は制御部３１０へ表示切り替え信号を受信したという情報を信号として送る。
【０１０１】
そして、近距離通信手段３１２からの信号に基づき、制御部３１０は、ＬＳＩ３０９で定められた表示部３０１への出力内容のうち、第１の情報３０１Ａは、表示部３０１への出力を継続し、第２の情報３０１Ｂ、は表示部３０１への出力を中断するようにする。
【０１０２】
さらに、制御部３１０は、第１の情報３０１Ａは、フォントを変更して白とし、他の表示の配色をすべて黒とする。表示が切り替わった結果、図９（ｂ）のように表示部３０１の表示が切り替わる。
【０１０３】
これにより、映画館や劇場等に入場した入場者が携帯電話機３００を利用する際に、表示部３０１から携帯電話機３００の外部へ向かう光を抑えることができる。そのため、携帯電話機３００を使用する入場者およびその入場者の周囲の人が、携帯電話機３００の表示部３０１の表示に対して、煩わしいと感じることがなくなる。
【０１０４】
さらに、第１の情報３０１Ａの表示は視認可能なので、使用者は、経時的に変化するような必要な情報を短時間で把握しやすくなる。
【０１０５】
メールを受信した場合の表示部３０１の表示の切り替えの様子は、実施例１で示した図３（ｃ）の表示部１０１の表示から図３（ｄ）の表示部１０１の表示への切り替えとなる。
【０１０６】
これにより、映画館や劇場等に入場した入場者が携帯情報端末３００を利用する際に、表示部３０１から携帯電話機３００の外部へ向かう光を抑えることができる。そのため、携帯端末３００を使用する入場者およびその入場者の周囲の人が、携帯電話機３００の表示部３０１の表示に対して、煩わしいと感じることがなくなる。
【０１０７】
さらに、第１の情報３０１Ａの表示は視認可能なので、使用者は、未読メールのような必要な情報を短時間で把握しやすくなる。
【０１０８】
第１の情報３０１Ａが背景外周部のような情報の骨組み部分のような情報に設定され、第２の情報３０１Ｂが背景内部のような情報の装飾部分として設定されている場合、表示部３０１の表示の切り替えの様子は、例えば、実施例１で示した図３（ｅ）の表示部３０１の表示から図３（ｆ）の表示部３０１の表示への切り替えになる。
これにより、使用者があらかじめ設定した第１の情報３０１Ａの表示は視認可能なため、使用者は、手動で表示の切り替えを行うことなく、使用者毎に必要な情報を把握しやすくなる。
【０１０９】
なお、本実施例３は、表示部３０１にＬＣＤの代わりに例えば有機ＥＬディスプレィのような自発光方式の表示装置を用いることもできる。この場合、発光部３１１は設けなくても構わない。そのため、携帯情報端末の小型化を図ることができる。自発光方式の表示装置を用いた際に、画面の配色を暗く変更した場合、暗い部分は、自発光方式の表示装置自体の光が抑えられるので、使用者は表示の煩わしさを感じることがなくなる。
【０１１０】
また、表示部３０１にＬＣＤを用いた場合、表示の切り替えとともに、発光部３１１による減光を組み合わせることにより、表示の煩わしさをより抑えることができる。この時には、バッテリーの消費を抑えることも期待できる。有機ＥＬディスプレィのような自発光方式の表示装置の場合、自発光方式の表示装置自体が減光することで、より表示の煩わしさを抑えることができ、バッテリーの消費を抑えることが期待できる。
【０１１１】
また、表示部３０１の表示の切り替えは、配色の変更だけでなく、コントラストの変更でもよい。
また、表示部３０１の表示の切り替えは、配色の変更とコントラストの変更を組み合わせたものであってもよい。例えば、画面の明度を下げ、コントラストを下げることにより、表示の煩わしさをさらに抑えることができる。画面の明度を下げ、コントラストを上げることにより、第１の情報３０１Ａをより把握しやすくなる。
【０１１２】
また、制御部３１０は、表示部３０１への出力を中断することで、第２の情報３０１Ｂの情報表示を終了したが、中断しなくてもよい。この場合、第２の情報３０１Ｂの表示の配色を、第１の情報３０１Ａ及び第２の情報３０１Ｂの表示以外の画面の配色と同じ配色とする。このとき、第２の情報３０１Ｂを出力しつつも、第２の情報３０１Ｂの表示は、第１の情報３０１Ａ、第２の情報３０１Ｂの表示以外の画面の配色と同じとなっているため、画面上では第２の情報３０１Ｂの情報の表示は、実質的に終了していることになる。
【０１１３】
また、他の表示の変更は黒色、第１の情報３０１Ａの表示のフォントの色の変更は白色に限られることはない。第１の情報３０１Ａの表示のフォントの色の明度が画面の背景の色の明度より高くすることにより、第１の情報３０１Ａの情報を把握しやすくなる。
【０１１４】
また、表示の切り替え後の他の表示の背景の色、第１の情報３０１Ａの表示のフォントの色は、使用者によって任意に設定することも可能である。
【０１１５】
また、他の表示の配色、第１の情報３０１Ａの表示のフォントの変更に伴って、第１の情報３０１Ａの表示位置を変更してもよい。例えば、第１の情報２０１Ａの表示を中央に配置した場合、第１の情報３０１Ａをより把握しやすくなる。
【０１１６】
また、第１の情報３０１Ａ、第２の情報３０１Ｂは、使用者によって任意に設定することができる。これにより、使用者にとって必要な情報のみを表示することができる。
【０１１７】
また、第１の情報３０１Ａ、第２の情報３０１Ｂは、複数の情報として設定することも可能である。例えば、背景外周部のような情報の骨組み情報と経時的に変化する情報が第１の情報として設定され、これら以外の情報が第２の情報として設定されることが可能である。これにより、使用者にとって必要な情報のみを表示することができる。
【０１１８】
また、操作部３０２は、キー操作部としてではなく、例えば表示部３０１に設けられたタッチパネルや、音声認識による声による操作等であっても構わない。
【０１１９】
また、制御部３１０における制御をすべてＬＳＩ３０９で行ってもよい。この場合、制御部３１０を取り除いた構造としてもよい。
【０１２０】
また、表示の切り替えは、操作部３０２で操作することにより、すぐに表示を切り替える前の元の表示に戻すことができる。例えば、図６（ｂ）の表示状態から図６（ａ）の表示状態に切り替えることができる。
【０１２１】
また、折りたたみ式の携帯端末で採用されている背面表示部であっても、本実施例の表示部３０１と同様の動作を行うことができる。
【０１２２】
また、携帯情報端末を携帯電話機３００としたが、ＰＤＡ等の携帯情報端末にも適用できる。
【０１２３】
また、近距離通信手段３１２は、携帯情報端末の外側表面であれば、どこに取り付けても構わない。
【０１２４】
（実施例４）
図１０に本発明の第４の実施例に係る携帯情報端末の外観図、図１１に本発明の第４の実施例に係るハードウェアブロック図を示す。
図１０、図１１において、携帯情報端末４００、操作部４０２、アンテナ４０３、データバス４０４、制御バス４０５、無線部４０６、ＲＯＭ４０７、ＲＡＭ４０８、ＬＳＩ４０９、制御部４１０、発光部４１１の構成は、実施例１に示した、携帯情報端末１００、操作部１０２、アンテナ１０３、データバス１０４、制御バス１０５、無線部１０６、ＲＯＭ１０７、ＲＡＭ１０８、ＬＳＩ１０９、制御部１１０、発光部１１１とそれぞれ同じ構成である。
【０１２５】
実施例４と実施例１の相違点は、表示部４０１が分割して表示部４０１Ａ、表示部４０２Ｂとして設けられている点である。ここで、分割とは、図１０に示すように、表示部４０１の画面内で画面を２画面にすることである。画面を分割することにより、例えば、ｗｅｂページを見ながらメールを打つことができたり、見たいｗｅｂページを同時に開いたりすること等ができる。更に、２画面以上に分割しても良い。
【０１２６】
表示部４０１Ａは、第１の情報４０１Ａ１を表示し、表示部４０１Ｂは第２の情報４０１Ｂ１を表示している。ここで、第１の情報４０１Ａ１とは、受信したメールの内容を示し、第２の情報４０１Ｂ１とは、ｗｅｂページを示している。
【０１２７】
次に、本発明の第４の実施例の動作、および作用について説明する。
本発明の表示部４０１の画面表示の変更の様子を図１２（ａ）、図１２（ｂ）に示す。
図１２（ａ）は、表示部４０１Ａに第１の情報４０１Ａ１、表示部４０１Ｂに第２の情報４０１Ｂ１が表示されている状態を示し、図１２（ｂ）は、表示部４０１の表示が図１２（ａ）の表示状態から切り替わった状態を示す。
【０１２８】
図１２（ａ）に示すような表示部４０１Ａに第１の情報４０１Ａ１が表示され、表示部４０２Ｂに第２の情報４０２Ｂ１が表示されている状態において、表示切替ボタン４０２Ａを押す。すると、表示切替ボタン４０２Ａから制御部４１０へ情報信号が送られる。制御部４１０は、ＬＳＩ４０９で定められた表示部４０１への出力内容のうち、表示部４０１Ａへの出力を継続し、表示部４０１Ｂへの出力を中断するようにする。さらに、制御部４１０は、表示部４０１Ｂへの画面の配色をすべて黒とする。表示切り替えの結果、図１２（ｂ）に示すような表示状態に切り替わる。
【０１２９】
これにより、表示部４０１から使用者へ向かう光は少なくなるため、使用者は表示部４０１の表示の煩わしさを感じることが少なくなくなる。そして、第１の情報４０１Ａ１の表示は残っているため、使用者は必要な情報を把握しやすくなる。
【０１３０】
さらに、使用者だけでなく、使用者の周囲の人にも表示の煩わしさを感じさせるのを防止することができるため、映画館や劇場等の暗い場所で、周囲に迷惑をかけず、メール内容や時刻等を短時間でチェックするのに便利である。
【０１３１】
なお、実施例４は、表示部４０１にＬＣＤの代わりに例えば有機ＥＬディスプレィのような自発光方式の表示装置を用いることもできる。この場合、発光部４１１は設けなくても構わない。そのため、携帯情報端末の小型化を図ることができる。
【０１３２】
また、表示部４０１にＬＣＤを用いた場合、表示の切り替えとともに、発光部４１１による減光を組み合わせることにより、より表示の煩わしさを抑えることができる。この時には、バッテリーの消費を抑えることも期待できる。有機ＥＬディスプレィのような自発光方式の表示装置の場合、自発光方式の表示装置自体が減光することで、より表示の煩わしさを抑えることができ、バッテリーの消費を抑えることが期待できる。
【０１３３】
また、表示部４０１の表示の切り替えは、配色の変更だけでなく、コントラストの変更でもよい。さらに、配色の変更とコントラストの変更を組み合わせたものであってもよい。例えば、画面の明度を下げ、コントラストを下げることにより、表示の煩わしさをさらに抑えることができる。画面の明度を下げ、コントラストを上げることにより、第１の情報４０１Ａをより把握しやすくなる。
【０１３４】
また、配色の色の変更は黒に限られることはない。使用者によって任意に設定することも可能である。
【０１３５】
また、操作部４０２は、キー操作部としてではなく、例えば表示部４０１に設けられたタッチパネルや、音声認識による声による操作等であっても構わない。
【０１３６】
また、あらかじめ、操作部４０２により表示の切り替え設定をしておくことも可能である。これにより、使用者は、表示の煩わしさを感じることがなくなる。
【０１３７】
また、既存のマナーモードやサイレントモード等を設定した場合に、表示部４０１の表示が切り替わるように設定することも可能である。これにより、映画館や劇場等で着信音に気をつけるだけでなく、表示の煩わしさに気をつけることができ、周囲に迷惑をかけることを防ぐことができる。
【０１３８】
また、制御部４１０における制御をすべてＬＳＩ４０９で行ってもよい。この場合、制御部４１０を取り除いた構造としてもよい。
【０１３９】
また、表示の切り替えは、操作部４０２で再度操作することにより、すぐに表示を切り替える前の元の表示に戻すことができる。例えば、図３（ｂ）の表示状態から図３（ａ）の表示状態に切り替えることができる。
【０１４０】
また、折りたたみ式の携帯端末で採用されている背面表示部であっても、本実施例の表示部４０１と同様の動作を行うことができる。
【０１４１】
また、本実施例では携帯情報端末４００は携帯電話としたが、ＰＤＡ等の携帯情報端末にも適用できる。
【０１４２】
また、表示部４０１Ａと表示部４０２Ｂは、別々のハードウェアブロックとして設けても構わない。この場合、表示部４０１Ａと表示部４０１Ｂがそれぞれ制御部４１０に電気的に接続される。そして、表示を切り替える場合、表示部４０１Ｂの表示を終了することもできる。これにより、省電力化を図ることができる。
【０１４３】
また、表示部４０１Ａと表示部４０２Ｂを別々のハードウェアブロックとして設けた場合、発光部４１１は、表示部４０１Ａと表示部４０２Ｂに対応するように分割して設けてもよい。これにより、さらに省電力化を図ることができる。
【０１４４】
また、表示部４０１における表示部４０１Ａと表示部４０１Ｂとの表示面積の大きさは、任意に設定することができる。また画面の分割は、２画面に限らず、複数の画面としてもよい。
【０１４５】
また、表示の切り替えは、キー操作部４０２Ａに限られない。例えば、実施例２に示した、光センサーを設け、周囲の明るさにより表示を切り替えることや、実施例３に示した近距離通信手段を設け、周囲からの表示切り替え信号により表示を切り替えることが可能である。
【０１４６】
（実施例５）
実施例１〜実施例４を適宜組み合わせた構造とすることができる。例として、実施例１〜実施例４をすべて組み合わせたときの携帯情報端末の外観図を図１３に、ハードウェアブロック図を図１４に示す。
【０１４７】
組み合わせた構成とすることにより、表示切り替えの方法は、表示切替キー５０２Ａ、近距離通信部５１２、光センサー５１３のいずれを用いてもよい。これにより、例えば、光センサー５１３で暗いと判断し、且つ近距離通信部５１２で表示切り替え情報を受信した場合に表示を切り替えることも可能となる。表示切替キー５０２Ａ、近距離通信部５１２、光センサー５１３がそれぞれ単独で表示の切り替えを行うようにすることも可能である。
【０１４８】
また、光センサー５１３や近距離通信部５１２は、ＧＰＳなどの位置獲得手段に置き換えることもできる。この場合、携帯情報端末５００が位置獲得手段により、特定の場所に存在していると判断した時、表示を切り替えるようにすることができる。
【産業上の利用可能性】
【０１４９】
以上のように、本発明における携帯情報端末は、画面の光量を変化させ、且つ情報量を減らすことができるため、携帯電話、ＰＤＡ等の携帯情報端末の用途に適用できる。
【図面の簡単な説明】
【０１５０】
【図１】本発明の第１の実施例に係る携帯情報端末の外観図
【図２】本発明の第１の実施例に係るハードウェアブロック図
【図３Ａ】本発明の第１の実施例に表示部の遷移図
【図３Ｂ】本発明の第１の実施例に表示部の遷移図
【図３Ｃ】本発明の第１の実施例に表示部の遷移図
【図４】本発明の第２の実施例に係る携帯情報端末の外観図
【図５】本発明の第２の実施例に係るハードウェアブロック図
【図６】本発明の第２の実施例に表示部の遷移図
【図７】本発明の第３の実施例に係る携帯情報端末の外観図
【図８】本発明の第３の実施例に係るハードウェアブロック図
【図９】本発明の第３の実施例に表示部の遷移図
【図１０】本発明の第４の実施例に係る携帯情報端末の外観図
【図１１】本発明の第４の実施例に係るハードウェアブロック図
【図１２】本発明の第４の実施例に係る表示部の遷移図
【図１３】本発明の第５の実施例に係る携帯情報端末の外観図
【図１４】本発明の第５の実施例に係るハードウェアブロック図
【符号の説明】
【０１５１】
１００  ２００  ３００  ４００  ５００  携帯情報端末  
１０１  ２０１  ３０１  ４０１  ４０１Ａ  ４０１Ｂ  ５０１  ５０１Ａ  ５０１Ｂ  表示部
１０１Ａ  １０１Ａ１  １０１Ａ２  １０１Ａ３  ２０１Ａ  ３０１Ａ  ４０１Ａ１    ５０１Ａ１  第１の情報
１０１Ｂ  １０１Ｂ１  １０１Ｂ２  １０１Ｂ３  ２０１Ｂ  ３０１Ｂ  ４０１Ｂ１  ５０１Ｂ１  第２の情報
１０２  ２０２  ３０２  ４０２  ５０２  操作部
１０２Ａ  ４０２Ａ  ５０２Ａ  表示切り替えキー
１０３  ２０３  ３０３  ４０３  ５０３  アンテナ
１０４  ２０４  ３０４  ４０４  ５０４  データバス
１０５  ２０５  ３０５  ４０５  ５０５  制御バス
１０６  ２０６  ３０６  ４０６  ５０６  無線部
１０７  ２０７  ３０７  ４０７  ５０７  ＲＯＭ
１０８  ２０８  ３０８  ４０８  ５０８  ＲＡＭ
１０９  ２０９  ３０９  ４０９  ５０９  ＬＳＩ
１１０  ２１０  ３１０  ４１０  ５１０  制御部
１１１  ２１１  ３１１  ４１１  ５１１  発光部
２１２  ５１３  光センサー
３１２  ５１２  近距離通信部
【図１】
2006065022.tif 000003
【図２】
2006065022.tif 000004
【図３Ａ】
2006065022.tif 000005
【図３Ｂ】
2006065022.tif 000006
【図３Ｃ】
2006065022.tif 000007
【図４】
2006065022.tif 000008
【図５】
2006065022.tif 000009
【図６】
2006065022.tif 000010
【図７】
2006065022.tif 000011
【図８】
2006065022.tif 000012
【図９】
2006065022.tif 000013
【図１０】
2006065022.tif 000014
【図１１】
2006065022.tif 000015
【図１２】
2006065022.tif 000016
【図１３】
2006065022.tif 000017
【図１４】
2006065022.tif 000018